(57)【要約】【課題】  フラップドアを閉止状態から開放状態に移動させることにより、機械後方の受け刃と回転刃間に噛み込んだ異物を積極的に除去可能とする。【解決手段】  ローター１２の回転駆動を停止し、破砕位置からフラップドア１７をその基部１８を支点として噛み合い部に対して上方でローター１２の周面に沿い内側に回動させ、ホッパー１５の傾斜した側壁を開口させ、フラップドア１７を異物除去位置にセットし、噛み合い部を露出してこの噛み合い部に噛み込んだ異物を除去する。【選択図】  図２
2006320815.tif 000002
【特許請求の範囲】
【請求項１】
水平な軸線回りに回転可能であり、外周面に回転刃が多数取り付けられた一つのローターと、前記ローターの直径方向で、このローターの周面近傍に対として配列された多数の受け刃部を有する固定刃ブロックと、前記ローターと固定刃ブロックの上方空間を囲繞したホッパーとを備えた一軸式破砕装置を用い、前記ホッパーから投入された被破砕物をプッシャーにより回転中の前記ローターに向け押し込み、このローターの回転刃と、このローターの直径方向で前記ローターの周囲に対に設けられた前記受け刃部との共同作用で粉砕し、その粉砕片を下方へスクリーンを通して落下させ、この回転刃と受け刃部の噛み合い部に異物が噛み込まれた場合にはローターと前記各受け刃部との噛み合い部に対応して前記一軸式破砕装置の機枠に設けられた前側及びフラップドアを閉止状態から開放状態に移動させて、前記噛み合い部から前記異物を除去することを特徴とする破砕方法。
【請求項２】
前記フラップドアは、その基部を前記ローターの軸線と並行で水平な枢軸で回動可能に機枠に取り付けてなるフラップドアとし、
前記フラップドアを完全に閉止し、前記ホッパーの傾斜した側壁の一部を前記フラップドアで形成する破砕位置から、前記ローターの回転を停止し、前記プッシャーを前記ローターの周面から後退させた状態で、前記フラップドアを前記基部を支点として前記噛み合い部に対して上方で前記ローターの周面に沿い内側に回転させ前記ホッパーの傾斜した側壁を開口させ、前記噛み合い部を露出してこの噛み合い部に噛み込んだ異物を除去可能な異物除去位置と、前記フラップドアを前記ローターの周面から離反するように前記基部を支点として更に内側で上方に更に回動させ前記受け刃部とローター部分の一部をも露出させ、全開し回転刃、受け刃部交換を行う刃交換位置と、前記フラップドアを前記基部を支点として前記機枠に対して外側に回動し前記フラップドアの先端側を前記機枠の外側に張り出し被破砕物を排出する排出位置の各々に、選択的に前記フラップドアの中間部に接続された駆動装置により前記フラップドアを回動位置決めすることを特徴とする請求項１記載の破砕方法。
【請求項３】
前記被破砕物を、廃棄物とすることを特徴とする請求項１又は２記載の破砕方法。
【請求項４】
水平な軸線回りに回転可能であり、外周面に回転刃が多数取り付けられた一つのローターと、前記ローターの直径方向で、このローターの周面近傍に対として配列された多数の受け刃部を有する固定刃ブロックと、前記ローターと前記固定刃ブロックの上方空間を囲繞したホッパーと、前記ホッパーから投入された被破砕物を回転中の前記ローターに向け押し込むプッシャーとを備えた一軸式破砕装置において、ローターと前記ローターの周囲に対に設けた前記各受け刃部との噛み合い部に対応して、前側メンテナンスドアと前記フラップドアが開閉可能に前記一軸式破砕装置の機枠に設けられ、前記フラップドアは完全閉止位置と異物除去可能開放位置との間で移動可能に機枠に配置されていることを特徴とする一軸式破砕装置。
【請求項５】
前記フラップドアは、その基部を前記ローターの軸線と並行で水平な枢軸で回動可能に機枠に取り付けてなるフラップドアとし、
前記フラップドアの中間部に前記フラップドア回動用の駆動装置が接続して設けてあり、
前記フラップドアを完全に閉止し、前記ホッパーの傾斜した側壁の一部を前記フラップドアで形成する破砕位置から、前記ローターの回転を停止し、前記プッシャーを前記ローターの周面から後退させた状態で、前記フラップドアを前記噛み合い部に対して上方で前記ローターの周面に沿い内側に前記基部を支点として回転させ、前記ホッパーの傾斜した側壁を開口させて、前記噛み合い部を露出してこの噛み合い部に噛み込んだ異物を除可能な異物除去位置と、前記フラップドアを前記ローターの周面から離反するように前記基部を支点として回転させ内側で上方に回動し前記受け刃部とローター部分の一部をも露出させ、全開し回転刃、受け刃部の交換を行う刃交換位置と、前記フラップドアを前記基部を支点として前記機枠に対して外側に回動し前記フラップドアの先端側を前記機枠の外側に張り出し破砕物を排出可能とする排出位置の４つの位置に各々に、選択的に前記フラップドアは、前記駆動装置により回動位置決め可能に配備されていることを特徴とする請求項４記載の一軸式破砕装置。
【請求項６】
前記フラップドアと機枠の間には、前記フラップドアの両側に位置する前記駆動装置が設けられていることを特徴とする請求項４又は５記載の一軸式破砕装置。
【発明の詳細な説明】
【技術分野】
【０００１】
本発明は、破砕方法とこの方法に用いられる一軸式破砕装置に係り、特に、外周面に多数の回転刃を取り付けた一つのローターと、上記回転刃と協働して被処理物を破砕する受け刃とを備えた一軸式破砕装置に関するものである。
【背景技術】
【０００２】
今日、原材料の粉砕や各種廃棄物の破砕に用いられる破砕装置には多くの種類があるが、ローターを一つだけ備えた一軸式の破砕装置は、比較的小型で、コストもそれほど高くならないため、様々な型式のものが開発されている。
【特許文献１】特開平１１―１３８０３９号公報
【発明の開示】
【発明が解決しようとする課題】
【０００３】
ところが、一軸式の破砕装置にあっては、機械後方の受け刃と回転刃に噛み込んだ異物を積極的に除去仕切れない欠点がある。
【０００４】
本発明は上記した従来の問題点に鑑みて為されたものであり、このような異物の除去を容易に行える破砕方法とこの方法に用いられる一軸式破砕装置を提供することを目的とする。
【課題を解決するための手段】
【０００５】
前記課題を解決するために特定発明は、外周面に多数の回転刃を取り付けた一つのローターと、上記回転刃と協働して被破砕物を破砕する受け刃とを備えた一軸式破砕装置を用い、そのホッパーから投入された被破砕物をプッシャーにより回転中の前記ローターに向け押し込み、このローターの回転刃と、前記受け刃部との共同作用で粉砕し、その粉砕片を下方へスクリーンを通して落下させ、この回転刃と受け刃部の噛み合い部に異物が噛み込まれた場合にはローターと前記各受け刃部との噛み合い部に対応して前記一軸式破砕装置の機枠に設けられた前側及び後側メンテナンスドアを閉止状態から開放状態に移動させて、前記噛み合い部から前記異物を除去することを特徴とする破砕方法としてある。
【０００６】
前記課題を解決するために関連発明は、外周面に多数の回転刃を取り付けた一つのローターと、上記回転刃と協働して被破砕物を破砕する受け刃とを備えた一軸式破砕装置において、ローターと前記ローターの周囲に対に設けた前記各受け刃部との噛み合い部に対応して、前側メンテナンスドアと後側メンテナンスドアが開閉可能に前記一軸式破砕装置の機枠に設けられ、前記後側メンテナンスドアは完全閉止位置と異物除去可能開放位置との間で移動可能に機枠に配置されていることを特徴とする一軸式破砕装置としてある。
【発明の効果】
【０００７】
本件発明においては、回転刃と機械後方の受け刃の噛み合い部に異物が噛み込まれた場合には、ローターと後方の受け刃部との噛み合い部に対応して設けられた前記後側メンテナンスドアを閉止状態から開放状態に移動させることにより、機械後方の受け刃と回転刃間に噛み込んだ異物を積極的に除去できる。
【０００８】
更に別の発明においては、通常破砕運転時には前記後側メンテナンスドアをフラップドアトとし、このフラップドアトを破砕位置にセットし、前記ホッパーの傾斜した側壁の一部を前記フラップドアで形成し、安定良く被破砕物を破砕できる。更に、回転刃と機械後方の受け刃の噛み合い部に異物が噛み込まれた場合には、前記フラップドアを前記噛み合い部に対して前記基部を支点として上方で前記ローターの周面に沿い内側に回転させ、前記ホッパーの傾斜した側壁を開口させて、前記異物のみを機械外側に取り出すことができる。殊にホッパー内の被破砕物を除去することなく、異物の除去作業ができ、この作業が終れば、直ちに破砕作業が再開できる。
【０００９】
前記フラップドアを前記ローターの周面から離反するように前記基部を支点として内側で上方に回動し前記受け刃部とローター部分の一部をも露出させ、全開することにより、回転刃、回転刃の交換を容易に行える。加えて、前記フラップドアを前記基部を支点として前記機枠に対して外側に回動し、前記フラップドアの先端側を前記機枠の外側に張り出し、前記破砕物排出位置に前記フラップドアをセットすれば、前記開口した前記ホッパーの傾斜した側壁を通して、破砕以前の被破砕物を機械後方から排出し、ホッパー内、回転刃などの清掃、保守を容易に行うことができる。
【発明を実施するための最良の形態】
【００１０】
この実施形態は、請求項4乃至6記載の装置発明である一軸式破砕装置の代表的な実施の形態である。
図1乃至図４において、１０は一軸式破砕装置全体を示し、この破砕装置１０は外周面に回転刃１１を多数取り付けた１つローター１２と、前記ローター１２の直径方向で、このローター１２の周面近傍に対として配列された多数の受け刃部１３を有する固定刃ブロック１４と、この固定刃ブロック１４の上方空間を囲繞したホッパー１５と、この回転刃１１受け刃部１３で破砕された粉砕片を下方に落下させるスクリーン２４と、前記ホッパー１５から投入された被破砕物を回転中の前記ローター１２に向け押し込むプッシャー２５を備える。前記ローター１２と左右の受け刃部１３との噛み合い部に対応して、前側メンテナンスドア１６と前記後側メンテナンスドア１７が開閉可能に設けられている。
この明細書で前側とは、前記破砕装置１０の正面側を意味し、後側とは前記破砕装置１０の背面側を意味する。前記後側メンテナンスドア１７は、完全閉止位置と異物除去可能開放位置との間で移動可能に機枠に設けられている。
【００１１】
更に説明すれば、前記後側メンテナンスドア１７は、全体くの字状に屈曲し、その基部１８を支点として前記ローター１１の軸線と並行で水平な枢軸２１で回動可能に機枠２２に取り付けてなるフラップドアとし構成されている。前記フラップドア１７の中間部２０に駆動装置である伸縮型の油圧シリンダー装置２３が、前記フラップドア１７と機枠２２の間にわたり前記フラップドア１７の両側に設けてある。
【００１２】
前記フラップドア１７を完全に閉止し、前記ホッパー１５の傾斜した側壁の一部を前記フラップドア１７で形成する破砕位置から、前記ローター１２の回転を停止し、前記プッシャー２５を前記ローター１２の周面から後退させた状態で、前記フラップドア１７を前記噛み合い部に対して上方で前記ローター１２の周面に沿い内側に前記基部１８を支点として回転させ、前記ホッパー１５の傾斜した側壁を開口させ、前記噛み合い部を露出してこの噛み合い部に噛み込んだ異物を除可能な異物除去位置と、前記フラップドア１７を前記ローター１２の周面から離反するように前記基部１８を支点として内側で上方に回動し、前記受け刃部１３とローター１０の一部をも露出させ、全開し回転刃１２、受け刃部１３交換を行う刃交換位置と、前記フラップドア１７を前記機枠２２に対して前記基部１８を支点として外側に回動し前記フラップドア１７の先端側１９を前記機枠２２の外側に張り出し被破砕物を排出可能とする排出位置の各々に、選択的にフラップドア１７は前記基部18を支点として前記駆動装置である油圧シリンダー装置２３により回動位置決め可能に配備されている。
【００１３】
前記形態の装置の作用を請求項１乃至３の破砕方法の代表的に実施の形態と併せて説明する。
前記被破砕物を破砕する場合には、前記フラップドア１７を前記破砕位置にセットし、完全に閉止し、前記ホッパー１５の傾斜した側壁の一部を前記フラップドア１７で形成する（図１参照）。この後、前記ホッパー１５から投入された被破砕物である廃棄物、例えば廃棄プラステックなどを回転中のローター１２の回転刃１１と、このローター１２の直径方向で対に設けられた前記受け刃部１３との共同作用で粉砕し、その粉砕片を下方にスクリーン２４を通して落下させる。前記回転刃１１と受け刃部１３の噛み合い部に異物が噛み込まれた場合には、ローター１２と前記各受け刃部１３との噛み合い部に対応して設けられた前側メンテナンスドア１６及びフラップドア１7を閉止状態から開放状態に移動させて、前記異物を除去する。
【００１４】
殊に、前記後側の噛み合い部に噛み込んだ異物を除去する場合には、ローター１２の回転駆動を停止し、前記プッシャー２５を前記ローター１２の周面から後退させ、前記破砕位置から前記フラップドア１７をその基部１８を支点として前記噛み合い部に対して上方で前記ローター１２の周面に沿い内側に回動させ、前記ホッパー１５の傾斜した側壁を開口させ、前記フラップドア１７を異物除去位置にセットし（図２参照）、前記噛み合い部を露出してこの噛み合い部に噛み込んだ異物を除去する。
回転刃１１、前記受け刃部１３の交換を行う場合には、前記フラップドア１７を前記ローター１２の周面から離反するように内側にその基部１８を支点として上方に回動し前記受け刃部とローター部分の一部をも露出させ、全開し前記刃交換位置にセットして（図３参照）、回転刃１１、前記受け刃部１３の交換を行う。
前記ホッパー１５内を清掃し、前記回転刃１１、固定刃１３を清掃、保守する場合には、前記フラップドア１７を前記機枠２２に対してその基部１８を支点として外側に回動し前記フラップドア１７の先端側１９を前記機枠２２の外側に張り出し前記排出位置にセットして（図４参照）、破砕以前の被破砕物を前記機枠２２外に排出し、前記ホッパー１５内の清掃、前記回転刃１１、固定刃１３の清掃し、保守を、前記フラップドア１７の外側への張り出しにより前記ホッパー15後方の側壁に形成された開口部を通して行う。
【図面の簡単な説明】
【００１５】
【図１】実施形態の一軸式破砕装置におけるフラップドアが破砕位置にセットされている状態を示す要部縦断概略図である。
【図２】フラップドアが異物除去位置にセットされている状態を示す要部縦断概略図である。
【図３】フラップドアが前記刃交換位置にセットされている状態を示す要部縦断概略図である。
【図４】フラップドアが排出位置にセットされている状態を示す要部縦断概略図である。
【符号の説明】
【００１６】
１０  一軸式破砕装置
１１  回転刃
１３  受け刃部
１７  フラップドア
【図１】
2006320815.tif 000003
【図２】
2006320815.tif 000004
【図３】
2006320815.tif 000005
【図４】
2006320815.tif 000006